【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
前記ビデオデータのピクチャのスライスの各それぞれのコーディングユニット（ＣＵ）に関して、
前記それぞれのＣＵが前記スライス中のコーディングツリーブロック（ＣＴＢ）の行内のＣＵ中で最初に発生するかどうかを決定することと、
前記それぞれのＣＵがＣＴＢの前記行内のＣＵ中で最初に発生すると決定することに応答して、導出された視差ベクトル（ＤＤＶ）を初期値に設定することと、
前記それぞれのＣＵについての利用可能な視差ベクトルを決定することを試みる隣接ベースの視差ベクトル導出（ＮＢＤＶ）プロセスを実行することと、
前記それぞれのＣＵについての前記視差ベクトルを設定することと、ここにおいて、前記それぞれのＣＵについての利用可能な視差ベクトルを決定しない前記ＮＢＤＶプロセスに応答して、前記それぞれのＣＵについての前記視差ベクトルが前記ＤＤＶに等しく設定される、または、前記それぞれのＣＵについての利用可能な視差ベクトルを決定する前記ＮＢＤＶプロセスに応答して、前記それぞれのＣＵについての前記視差ベクトルが前記ＮＢＤＶプロセスによって決定された前記利用可能な視差ベクトルに等しく設定される、
前記それぞれのＣＵについての前記視差ベクトルに部分的に基づいて、前記それぞれのＣＵについてのコーディングブロックを再構成することと、
前記それぞれのＣＵがイントラコーディングされるかどうかを決定することと、
前記それぞれのＣＵについての前記視差ベクトルを設定した後、且つ、前記それぞれのＣＵがイントラコーディングされないと決定することに応答して、前記それぞれのＣＵの前記視差ベクトルに等しくなるように前記ＤＤＶを更新することと
を備える方法。
【請求項２】
前記スライスの各それぞれのＣＵに関して、
前記それぞれのＣＵが前記ピクチャのタイルの第１のＣＵであると決定することに応答して、前記ＤＤＶを前記初期値に設定することをさらに備える、請求項１に記載の方法。
【請求項３】
前記スライスが、波面並列処理（ＷＰＰ）を使用して復号される、請求項１に記載の方法。
【請求項４】
前記スライスの各それぞれのＣＵに関して、
前記それぞれのＣＵがＣＴＢの第１のＣＵであると決定することに応答して、前記ＤＤＶを前記初期値に設定することをさらに備える、請求項１に記載の方法。
【請求項５】
前記初期値がゼロである、請求項１に記載の方法。
【請求項６】
１つまたは複数のカメラパラメータに少なくとも部分的に基づいて、前記初期値を決定することをさらに備え、ここにおいて、前記１つまたは複数のカメラパラメータは、２つのビューの水平変位を含む、請求項１に記載の方法。
【請求項７】
前記現在ＣＵがイントラコーディングされていない場合のみ、前記ＮＢＤＶプロセスを実行することをさらに備える、請求項１に記載の方法。
【請求項８】
ビデオデータを符号化する方法であって、
前記ビデオデータのピクチャのスライスの各それぞれのコーディングユニット（ＣＵ）に関して、
前記それぞれのＣＵが前記スライス中のコーディングツリーブロック（ＣＴＢ）の行内のＣＵ中で最初に発生するかどうかを決定することと、
前記それぞれのＣＵがＣＴＢの前記行内のＣＵ中で最初に発生すると決定することに応答して、導出された視差ベクトル（ＤＤＶ）を初期値に設定することと、
前記それぞれのＣＵについての利用可能な視差ベクトルを決定することを試みる隣接ベースの視差ベクトル導出（ＮＢＤＶ）プロセスを実行することと、
前記それぞれのＣＵについての前記視差ベクトルを設定することと、ここにおいて、前記それぞれのＣＵについての利用可能な視差ベクトルを決定しない前記ＮＢＤＶプロセスに応答して、前記それぞれのＣＵについての前記視差ベクトルが前記ＤＤＶに等しく設定される、または、前記それぞれのＣＵについての利用可能な視差ベクトルを決定する前記ＮＢＤＶプロセスに応答して、前記それぞれのＣＵについての前記視差ベクトルが前記ＮＢＤＶプロセスによって決定された前記利用可能な視差ベクトルに等しく設定される、
前記それぞれのＣＵについての前記視差ベクトルに部分的に基づいて、前記それぞれのＣＵについてのコーディングブロックの符号化された表現を生成することと、
前記それぞれのＣＵがイントラコーディングされるかどうかを決定することと、
前記それぞれのＣＵについての前記視差ベクトルを設定した後、且つ、前記それぞれのＣＵがイントラコーディングされないと決定することに応答して、前記それぞれのＣＵの前記視差ベクトルに等しくなるように前記ＤＤＶを更新することと
を備える方法。
【請求項９】
前記スライスの各それぞれのＣＵに関して、
前記それぞれのＣＵが前記ピクチャのタイルの第１のＣＵであると決定することに応答して、前記ＤＤＶを前記初期値に設定することをさらに備える、請求項８に記載の方法。
【請求項１０】
前記スライスが、波面並列処理（ＷＰＰ）を使用して符号化される、請求項８に記載の方法。
【請求項１１】
前記スライスの各それぞれのＣＵに関して、
前記それぞれのＣＵがＣＴＢの第１のＣＵであると決定することに応答して、前記ＤＤＶを前記初期値に設定することをさらに備える、請求項８に記載の方法。
【請求項１２】
前記初期値がゼロである、請求項８に記載の方法。
【請求項１３】
１つまたは複数のカメラパラメータに少なくとも部分的に基づいて、前記初期値を決定することをさらに備え、ここにおいて、前記１つまたは複数のカメラパラメータは、２つのビューの水平変位を含む、請求項８に記載の方法。
【請求項１４】
前記現在ＣＵがイントラコーディングされていない場合のみ、前記ＮＢＤＶプロセスを実行することをさらに備える、請求項８に記載の方法。
【請求項１５】
ビデオデータをコーディングするためのデバイスであって、
前記ビデオデータの復号されたピクチャを記憶するバッファと、
１つまたは複数のプロセッサと
を備え、前記１つまたは複数のプロセッサが、前記ビデオデータのピクチャのスライスの各それぞれのコーディングユニット（ＣＵ）に関して、前記１つまたは複数のプロセッサが、
前記それぞれのＣＵが前記スライス中のコーディングツリーブロック（ＣＴＢ）の行内のＣＵ中で最初に発生するかどうかを決定し、
前記それぞれのＣＵがＣＴＢの前記行内のＣＵ中で最初に発生すると決定することに応答して、導出された視差ベクトル（ＤＤＶ）を初期値に設定し、
前記それぞれのＣＵについての利用可能な視差ベクトルを決定することを試みる隣接ベースの視差ベクトル導出（ＮＢＤＶ）プロセスを実行し、
前記それぞれのＣＵについての前記視差ベクトルを設定し、ここにおいて、前記それぞれのＣＵについての利用可能な視差ベクトルを決定しない前記ＮＢＤＶプロセスに応答して、前記それぞれのＣＵについての前記視差ベクトルが前記ＤＤＶに等しく設定される、または、前記それぞれのＣＵについての利用可能な視差ベクトルを決定する前記ＮＢＤＶプロセスに応答して、前記それぞれのＣＵについての前記視差ベクトルが前記ＮＢＤＶプロセスによって決定された前記利用可能な視差ベクトルに等しく設定される、
前記それぞれのＣＵがイントラコーディングされるかどうかを決定し、
前記それぞれのＣＵについての前記視差ベクトルを設定した後、且つ、前記それぞれのＣＵがイントラコーディングされないと決定することに応答して、前記それぞれのＣＵの前記視差ベクトルに等しくなるように前記ＤＤＶを更新する
ように構成される、デバイス。
【請求項１６】
前記１つまたは複数のプロセッサが、前記スライスの各それぞれのＣＵに関して、前記１つまたは複数のプロセッサが、
前記それぞれのＣＵが前記ピクチャのタイルの第１のＣＵであると決定することに応答して、前記ＤＤＶを前記初期値に設定するように構成される、請求項１５に記載のデバイス。
【請求項１７】
前記スライスが、波面並列処理（ＷＰＰ）を使用してコーディングされる、請求項１５に記載のデバイス。
【請求項１８】
前記１つまたは複数のプロセッサが、前記スライスの各それぞれのＣＵに関して、前記１つまたは複数のプロセッサが、
前記それぞれのＣＵがＣＴＢの第１のＣＵであると決定することに応答して、前記ＤＤＶを前記初期値に設定するように構成される、請求項１５に記載のデバイス。
【請求項１９】
前記初期値がゼロである、請求項１５に記載のデバイス。
【請求項２０】
前記１つまたは複数のプロセッサが、１つまたは複数のカメラパラメータに少なくとも部分的に基づいて、前記初期値を決定するように構成され、ここにおいて、前記１つまたは複数のカメラパラメータは、２つのビューの水平変位を含む、請求項１５に記載のデバイス。
【請求項２１】
前記１つまたは複数のプロセッサが、前記現在ＣＵがイントラコーディングされていない場合のみ、前記ＮＢＤＶプロセスを実行するように構成される、請求項１５に記載のデバイス。
【請求項２２】
前記１つまたは複数のプロセッサが、前記それぞれのＣＵについての前記視差ベクトルに部分的に基づいて、前記それぞれのＣＵについてのコーディングブロックを再構成するように構成される、請求項１５に記載のデバイス。
【請求項２３】
前記１つまたは複数のプロセッサが、前記それぞれのＣＵについての前記視差ベクトルに部分的に基づいて、前記それぞれのＣＵについてのコーディングブロックの符号化された表現を生成するように構成される、請求項１５に記載のデバイス。